(57)【要約】【課題】遊技機演出にあった化粧板を取り付けた場合でも球詰まりの発生を防止することができる可変入賞装置を提供することを目的とする。【解決手段】遊技盤面３上に取り付けられる取り付け基板９０と、取り付け基板９０ら前方に突設された上始動ポケット１３と、上始動ポケット１３の下方に位置する取り付け基板９０に形成された下始動口と、この下始動口に対して遊技球を誘導する可動片１７ｂ、１７ｂと、可動片１７ｂ、１７ｂの前面に固定配置される化粧板８１とを備えた可変入賞装置１１において、化粧板８１は、可動片１７ｂ、１７ｂの可動範囲の前方を覆う形状の透明部材により形成され、且つ、透明部材の前面に図柄が設けられ、透明部材の上部は上始動ポケット１３の下部との間での遊技球の詰まりを防止し得るよう近接配置した。【選択図】図４
2008167881.tif 000002
【特許請求の範囲】
【請求項１】
遊技盤面上に取り付けられる取り付け基板と、前記取り付け基板から前方に突設された上始動口形成部材と、該上始動口形成部材の下方に位置する前記取り付け基板面に形成された下始動口と、該下始動口に遊技球を誘導する可動片と、前記可動片の前面に固定配置される化粧板と、を備えた可変入賞装置において、
前記化粧板は、前記可動片の可動範囲の前方を覆う形状の透明部材により形成され、且つ、前記透明部材の前面に図柄が設けられ、前記透明部材の上部は前記上始動口形成部材の下部との間での遊技球の詰まりを防止し得るよう近接配置されていることを特徴とする可変入賞装置。
【請求項２】
請求項１に記載の可変入賞装置において、前記化粧板は、前記遊技盤面に対して略平行に取り付けられていることを特徴とする可変入賞装置。
【請求項３】
請求項１又は２に記載の可変入賞装置において、前記化粧板の外周は、後方から前方に向かって外側へ拡開する方向へ傾斜していることを特徴とする可変入賞装置。
【請求項４】
請求項１乃至３の何れか１項に記載の可変入賞装置を備えたことを特徴とする遊技盤。
【請求項５】
請求項４に記載の遊技盤を備えたことを特徴とするパチンコ遊技機。
【発明の詳細な説明】
【技術分野】
【０００１】
本発明はパチンコ遊技機に備えられる遊技盤の可変入賞装置に関わり、特に球詰まりを防止するのに好適なものである。
【背景技術】
【０００２】
従来より、始動入賞口に遊技球が入る度に液晶表示装置などの図柄表示装置により複数種類の図柄が表示され、表示図柄が所定図柄で停止すると大当たり状態になるパチンコ遊技機が知られている。この種のパチンコ遊技機では、始動入賞口として、例えば、遊技盤の盤面中央下部などに可変入賞装置が備えられているものがある。可変入賞装置は、一対の開閉部材を電気的に作動させて遊技球を内部へ導入不能な形態と導入可能な形態との間を動作可能に構成されている。
なお、先行文献としては、情報表示機能と可動片を有するパチンコ遊技機の可変入賞装置が開示されている（特許文献１など）。
【特許文献１】特開２００５−２７０２７４公報
【発明の開示】
【発明が解決しようとする課題】
【０００３】
ところで、上記したような可変入賞装置は、遊技盤の盤面上の中央に配置されることから、遊技の興趣を高めるために、その可動片の前面に遊技機の遊技演出にあった表装板（化粧板）が取り付けられているものが多い。
図８は、従来のパチンコ遊技機の遊技盤に備えられる可変入賞装置を示した図である。
この図８に示す可変入賞装置１００は、図示しない遊技盤の盤面上に取り付けられる取り付け基板１０１と、この取り付け基板１０１から前方に突設した上始動ポケット１０２と、上始動ポケット１０２の下方に位置する取り付け基板１０１に形成されている下始動口（図示しない）に対して遊技球を誘導する一対の可動片１０４、１０４を備えた電動式チューリップ１０３と、この電動式チューリップ１０３の前面に固定配置される化粧板１０５とを備えている。可変入賞装置１００は、通常は遊技盤のほぼ中央下部に配置される。また遊技において重要な役割を担うため、遊技者が視認する機会が多いため、遊技機の遊技演出にあった形状の化粧板１０５を取り付ける場合が多い。例えば、図８に示す例では化粧板１０５がリボン状に形成されている。なお、符号１０６は遊技釘である。
【０００４】
しかしながら、可変入賞装置の化粧板１０５を遊技演出にあった形状にした場合、化粧板１０５の形状によっては、図８に示すように、上始動ポケット１０２と化粧板１０５との間に遊技球Ｐが挟まり、球詰まりが発生するおそれがあった。このような遊技球の球詰まりは、遊技の興趣が損なわれるばかりでなくトラブルの原因にもなる。
本発明は上記したような点を鑑みてなされたものであり、遊技機演出にあった化粧板を取り付けた場合でも球詰まりの発生を防止することができる可変入賞装置と、その可変入賞装置を備えた遊技盤、及びパチンコ遊技機を提供することを目的とする。
【課題を解決するための手段】
【０００５】
上記目的を達成するため、請求項１に記載の発明は、遊技盤面上に取り付けられる取り付け基板と、前記取り付け基板から前方に突設された上始動口形成部材と、該上始動口形成部材の下方に位置する前記取り付け基板面に形成された下始動口と、該下始動口に遊技球を誘導する可動片と、前記可動片の前面に固定配置される化粧板と、を備えた可変入賞装置において、前記化粧板は、前記可動片の可動範囲の前方を覆う形状の透明部材により形成され、且つ、前記透明部材の前面に図柄が設けられ、前記透明部材の上部は前記上始動口形成部材の下部との間での遊技球の詰まりを防止し得るよう近接配置されていることを特徴とする。
請求項２に記載の発明は、請求項１に記載の可変入賞装置において、前記化粧板は、前記遊技盤面に対して略平行に取り付けられていることを特徴とする。
請求項３に記載の発明は、請求項１又は２に記載の可変入賞装置において、前記化粧板の外周は、後方から前方に向かって外側へ拡開する方向へ傾斜していることを特徴とする。
請求項４に記載の発明は、請求項１乃至３の何れか１項に記載の可変入賞装置を備えた遊技盤を特徴とする。
請求項５に記載の発明は、請求項４に記載の遊技盤を備えたパチンコ遊技機を特徴とする。
【発明の効果】
【０００６】
本発明の可変入賞装置によれば、化粧板を可動片の可動範囲の前方を覆う形状の透明部材により形成したことで、上始動口形成部材と化粧板との間において遊技球の球詰まりが発生するのを防止することができる。
また、可動片の可動範囲の前方を化粧板により覆うように形成したことで、可動片の可動範囲内における遊技球の前後方向の暴れを制限できるので、この点からも遊技球の球詰まりが発生するのを防止することができる。
さらに、化粧板を透明部材により形成したことで、遊技者は化粧板の透明部分を通して可動片の動作や遊技球の流れを視認することができる。
さらに、化粧板の外周が後方から前方に向かって外側へ拡開する方向へ傾斜させたことで、遊技球が可動片の方向へ誘導され易くなるので、この点からも化粧板と上始動口形成部材との間における球詰まりの発生を防止することができる。
さらに、化粧板を遊技盤面と略平行に取り付けたことによっても、化粧板と上始動口形成部材との間における球詰まりの発生を防止することができるという利点がある。
さらに、上記したような本発明の可変入賞装置を用いて遊技盤を形成する、或いはその遊技盤を用いてパチンコ遊技機を構成すれば、上記したような効果が得られる遊技盤、及びパチンコ遊技機を実現することができる。
【発明を実施するための最良の形態】
【０００７】
以下、本発明の実施形態について説明する。
図１は、本発明の実施形態に係るパチンコ遊技機の一例を示した全体正面図である。
この図に示すパチンコ遊技機１は、矩形形状の枠２を有し、この枠２の窓孔に対して裏側から遊技盤３が着脱可能に取り付けられている。
遊技盤３の前面側には、図示しないガラス枠が開閉可能に取り付けられている。また遊技盤３の下部には遊技球を貯留する受け皿部４と、受け皿部４の遊技球を発射する発射レバー５等が設けられている。また、受け皿部４と発射レバー５との間の前面下部板６には、遊技機用ボタンスイッチや、遊技球の購入ボタン、購入取り消しボタン、受け皿部４内の遊技球を下方から外部に抜くための球抜きボタンが設けられている。
また、遊技盤３のほぼ中央部には、中央が開口したセンター部材７が配置される。センター部材７の内部には図柄表示装置９が配置されている。図柄表示装置９は、例えば、液晶表示装置等の液晶表示パネルによって構成され、通常動作状態の時は、図示しない特別図柄画像が表示される。また、いわゆる特別遊技状態の時は、特別遊技状態であることを示す演出画像等が表示される。
【０００８】
センター部材７には装飾体７ａが設けられている。装飾体７ａは、この例では遊技の進行に関与する登場人物（キャラクター）の顔を含んだ頭部を象った立体形状のギミックであり、首振り動作等が可能に構成されている。
センター部材７の下方には、図柄表示装置９の特別図柄を可変表示させるための可変入賞装置１１が設けられている。また、センター部材７の左側には、普通図柄表示装置１０に表示される普通図柄を作動させるためのゲート１４が設けられている。さらに可変入賞装置１１の下方及び右側には、特別遊技状態の一つである大当たり状態のときに開成状態になる開閉扉を有する大入賞口１５及び１６が設けられている。
可変入賞装置１１は、図柄表示装置９を可変表示させるための上始動ポケット（上始動口形成部材）１３と左右一対の開閉爪（可動片）を有する電動式チューリップ１７とを備えて構成される。なお、可変入賞装置１１の詳細な構造については後述する。
また遊技盤３には普通入賞口１８やアウト口１９等が設けられていると共に、風車や図示しない多数の遊技釘が突設されている。遊技釘は、遊技球の落下速度を遅くすると共に、落下方向を複雑に変化させて遊技進行上の興趣を高めている。
普通図柄表示装置１０に表示される普通図柄は、１個または複数個の図柄を変動表示可能であり、普通図柄始動口としてのゲート１４が遊技球を検出することを条件に、その図柄が乱数制御等により所定時間可変して停止するようになっている。
普通図柄としては、数字図柄、アルファベット図柄、キャラクター図柄、その他の適宜の遊技図柄が使用される。そして、ゲート１４を遊技球が通過したことを条件に乱数制御により普通図柄が所定態様となった場合に、可変入賞装置１１に設けられた電動式チューリップ１７から成る可動片を所定時間、開成動作するように構成されている。
【０００９】
また図柄表示装置９に表示される特別図柄は、停止図柄が予め定められた図柄の組合せ、例えば同一図柄の組合せとなった場合に大当たり状態となるように構成されている。また特別図柄は可変入賞装置１１の上始動ポケット１３又は電動式チューリップ１７の開成動作により遊技球が誘導される下始動口（図示していない）において遊技球を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当たり状態が発生する。なお、特別図柄としては、数字図柄、アルファベット図柄、キャラクター図柄等が使用可能である。
【００１０】
図２は、本実施形態のパチンコ遊技機の動作制御を行う遊技制御装置の構成を示したブロック図である。
この図２に示す遊技制御装置においては、遊技の進行を制御する遊技制御手段として遊技制御基板２１が設けられていると共に、遊技の演出を行う遊技演出手段、及び遊技の演出を制御する遊技演出制御手段として、図柄制御基板３１、音声制御基板４１、及び演出制御基板５１が設けられている。
遊技制御基板２１は、ＣＰＵ２２、ＲＯＭ２３、ＲＡＭ２４、及び入出力インターフェース（以下、「Ｉ／Ｏ」と表記する）２５、２６を有し、当該パチンコ遊技機１の主たる制御を行う。遊技制御基板２１のＩ／Ｏ２５には、可変入賞装置１１の下始動口に設けられた下始動スイッチ（ＳＷ）１２ａや、上始動ポケット１３に設けられた上始動スイッチ（ＳＷ）１３ａ、遊技盤３上の始動ゲート１４ａが接続されている。また遊技盤３の普通入賞口１８に設けられた普通入賞口スイッチ（ＳＷ）１８ａ、１８ｂ、２つの大入賞口１５及び１６に夫々設けられた大入賞口スイッチ（ＳＷ）１５ａ及び１６ａ、大入賞口１５及び１６の開閉扉を夫々開閉動作させるための大入賞口ソレノイド１５ｂ及び１６ｂ、可変入賞装置１１に備えられた上始動ポケット１３の電動式チューリップ１７を開閉動作させるための始動口ソレノイド１７ａなどが接続されている。
【００１１】
一方、遊技制御基板２１のＩ／Ｏ２６には図柄制御基板３１のＩ／Ｏ３５と賞球制御基板６１のＩ／Ｏ６５が接続される。図柄制御基板３１は、図柄表示装置９等の表示制御を行うためのもので、ＣＰＵ３２、ＲＯＭ３３、ＲＡＭ３４、Ｉ／Ｏ３５、３６、３７を有し、Ｉ／Ｏ３６には液晶表示装置により構成された図柄表示装置９と、図示していないが７セグメント等により構成された普通図柄表示装置１０が接続されている。またＩ／Ｏ３７は音声制御基板４１のＩ／Ｏ４５及び演出制御基板５１のＩ／Ｏ５５と接続される。
音声制御基板４１は、ＣＰＵ４２、ＲＯＭ４３、ＲＡＭ４４、Ｉ／Ｏ４５、４６を有し、Ｉ／Ｏ４６に接続されているスピーカ８の音声制御や、発射レバー５内に内蔵した振動手段４７の制御等を行う。
演出制御基板５１は、ＣＰＵ５２、ＲＯＭ５３、ＲＡＭ５４、Ｉ／Ｏ５５、５６を有し、Ｉ／Ｏ５６に接続されている各種ランプ、例えば枠２を飾る装飾ランプ（ＬＥＤ）５７やガラス枠ランプ５８、サイドランプ５９等の制御を行う。また演出制御基板５１は、センター部材７に設けられている装飾体７ａの制御も行う。
賞球制御基板６１は、ＣＰＵ６２、ＲＯＭ６３、ＲＡＭ６４、Ｉ／Ｏ６５、６６を有し、遊技制御基板２１からの制御信号に基づいてＩ／Ｏ６６に接続されている払出駆動モータ６７の駆動制御を行う。またＩ／Ｏ６６には定位置検出スイッチ（ＳＷ）６８ａや、払出球検出スイッチ（ＳＷ）６８ｂ、球有り検出スイッチ（ＳＷ）６８ｃ、満タン検出スイッチ（ＳＷ）６８ｄ等が接続されている。
【００１２】
以下、本実施形態の可変入賞装置１１について詳細に説明する。
図３は可変入賞装置１１の構成を示した図であり、図３（ａ）は平面図、図３（ｂ）は正面図、図３（ｃ）は右側面図である。
また、図４（ａ）は可変入賞装置１１の電動式チューリップ１７の閉成状態を示した正面図、図４（ｂ）は可変入賞装置１１の電動式チューリップ１７の開成状態を示した正面図である。
これら図３、図４に示すように、本実施形態の可変入賞装置１１は、遊技盤３（図１参照）の盤面に取り付けられる取り付け基板９０と、取り付け基板９０の上部に形成された上始動ポケット１３と、取り付け基板９０の下部に形成された下始動口（図示しない）に遊技球を誘導する電動式チューリップ１７と、電動式チューリップ１７の可動片１７ｂ、１７ｂの可動を支持すると共に、後述する化粧板を電動式チューリップ１７の前方に固定配置するための支持部材８０と、支持部材８０と一体形成され、電動式チューリップ１７の前面に固定配置される化粧板（表装板）８１とにより構成される。
取り付け基板９０は、遊技盤３（図１参照）の前面側からビス９１により取り付けられる。また化粧板８１は取り付け基板９０の裏面側から後述するビスにより取り付け基板９０に取り付けられる。
電動式チューリップ１７は一対の可動片１７ｂ、１７ｂにより構成され、この可動片１７ｂ、１７ｂの開成時に取り付け基板９０の下部に設けられた下始動口に遊技球を誘導する。また取り付け基板９０の背面側には電動式チューリップ１７を開閉動作するためのソレノイド１７ａ等が設けられている。なお、本実施形態では、可変入賞装置１１として一対の可動片１７ｂ、１７ｂを有する電動式チューリップ１７を例に挙げて説明したが、これはあくまでも一例であり、可動片１７ｂは必ずしも一対である必要はなく片側だけでも良い。
【００１３】
そして、上記のように構成される本実施形態の可動入賞装置１１では、化粧板８１を可動片１７ｂ、１７ｂの可動範囲の前方を覆う形状の透明部材により形成した。このように構成すると、上始動ポケット１３と化粧板８１との間に遊技球が挟まるスペースができないので、上始動ポケット１３と化粧板８１との間に遊技球が挟まって球詰まりが発生するのを防止することができる。
また化粧板８１により電動式チューリップ１７の可動片１７ｂ、１７ｂの可動範囲の前方を化粧板８１により覆うようにしたことで、可動片１７ｂ、１７ｂの可動範囲内における遊技球の前後方向の暴れを制限することができる。即ち、可動片１７ｂ、１７ｂの可動範囲の前方を化粧板８１により覆うことで、化粧板８１の厚み分だけ遊技球の前後方向の暴れを制限できるので、遊技球が前後方向にずれた状態で重なりあうことによって遊技球が葡萄状に連なって球詰まりが発生するのを防止することができる。
なお、化粧板８１は、電動式チューリップ１７の可動片１７ｂ、１７ｂの可動範囲全体を覆うように形成することが望ましいが、遊技球の視認性の観点から、必ずしも可動片１７ｂ、１７ｂの可動範囲全体を覆う必要はない。例えば、本実施形態では、図４（ｂ）に示すように電動式チューリップ１７の可動片１７ｂ、１７ｂが開成状態のときは、各可動片１７ｂ、１７ｂの先端部分が化粧板８１から露出するように構成されているが、このように構成した場合も上始動ポケット１３と化粧板８１との間に遊技球が挟まって球詰まりが発生するのを防止することができる。
【００１４】
また本実施形態では、透明部材である化粧板８１の表面に当該パチンコ遊技機１の遊技演出に合った図柄模様８２の塗装（印刷）を施すようにしている。具体的には化粧板８１の表面にリボンの図柄模様の塗装を施すようにした。これにより、遊技演出にあった化粧板８１とすることができる。また化粧板８１の図柄模様を後から塗装により行うようにすると、化粧板８１の作製が容易になるという利点もある。なお、本実施形態では、化粧板８１の表面に図柄模様８２を塗装により印刷するようにしているが、これはあくまでも一例であり、塗装の他にもシールなどを施すようにしても良い。
また本実施形態では、化粧板８１を透明部材により形成したことで、遊技者は化粧板８１の透明部分、即ち図柄模様が塗装されていない部分を通して、電動式チューリップ１７を構成する可動片１７ｂ、１７ｂの動作や遊技球が可動片１７ｂ、１７ｂ内の下始動口へ誘導されるのを遊技者は視認することができるので、遊技者にとっては面白みのある遊技性を提供することができる。
さらに本実施形態の可変入賞装置１１では、図３（ｃ）に示すように、化粧板８１の裏面外周に傾斜面８３を形成するようにした。即ち、化粧板８１の外周が後方から前方に向かって外側へ拡開する方向へ傾斜させるようにした。このように構成すると、遊技球が可動片１７ｂ、１７ｂの方向へ誘導され易くなるので、この点からも化粧板８１と上始動ポケット１３との間で球詰まりが発生するのを防止することができる。
【００１５】
さらに本実施形態の可変入賞装置１１では、図５に示すように支持部材８０に一体形成された化粧板８１を取り付け基板９０に取り付ける際に、支持部材８０を固定するビス８４により化粧板８１が取り付け基板９０の基板面と略平行になるようにした。つまり、化粧板８１が遊技盤３の盤面と略平行になるようにした。このように化粧板８１を遊技盤３の盤面と略平行に取り付けた場合も、化粧板８１と上始動ポケット１３との間で球詰まりが発生するのを防止することができる。
【００１６】
また、これまで説明した本実施形態では化粧板８１により電動式チューリップ１７の可動範囲の前方を覆うようにしているがこれはあくまでも一例であり、化粧板８１の形状は各種考えられるものである。
図６は、本発明の可変入賞装置の他の構成例を示した図であり、この図６に示す化粧板８１は、当該可変入賞装置１１を遊技盤３に取り付けた際に、例えば遊技盤３に取り付けられ、且つ、当該可変入賞装置１１に隣接する遊技釘９２、９２の近傍まで化粧板８１により覆うようにしている。このように化粧板８１を構成すると、可変入賞装置１１の近傍において遊技球の前後方向の暴れを化粧板８１の厚み分だけ制限できるので、遊技球が前後方向にずれた状態で重なりあうことによって遊技球が葡萄状に連なって球詰まりが発生するのを防止することができる。
【００１７】
図７は、本発明の可変入賞装置のさらに他の構成例を示した図であり、この図７に示す化粧板８１により、電動式チューリップ１７の可動片１７ｂ、１７ｂの可動範囲と、上始動ポケット１３の前方を覆うようにしている。このように化粧板８１を構成した場合も、可変入賞装置１１の近傍において遊技球の前後方向の暴れを化粧板８１の厚み分だけ制限できるので、上記同様、遊技球が葡萄状に連なって球詰まりが発生するのを防止することができる。
【図面の簡単な説明】
【００１８】
【図１】本発明の実施形態に係るパチンコ遊技機の全体正面図である。
【図２】本実施形態のパチンコ遊技機の動作制御を行う遊技制御装置の構成を示したブロック図である。
【図３】本実施形態の可変入賞装置の構成を示した図であり、（ａ）は平面図、（ｂ）は正面図、（ｃ）は右側面図である。
【図４】（ａ）は可変入賞装置の電動式チューリップが閉成状態を示した正面図、（ｂ）は可変入賞装置の電動式チューリップが開成状態を示した正面図である。
【図５】本実施形態の可変入賞装置の分解図である。
【図６】本発明の可変入賞装置の他の構成例を示した図である。
【図７】本発明の可変入賞装置のさらに他の構成例を示した図である。
【図８】従来のパチンコ遊技機の遊技盤に備えられる可変入賞装置を示した図である。
【符号の説明】
【００１９】
１…パチンコ遊技機、２…枠体、３…遊技盤、４…受け皿部、５…発射レバー、６…前面下部板、７…センター部材、７ａ…装飾体、８…スピーカ、９…図柄表示装置、１０…普通図柄表示装置、１１…可変入賞装置、１２ａ…下始動口スイッチ、１３…上始動ポケット、１３ａ…上始動口スイッチ、１４…ゲート、１４ａ…始動ゲート、１５、１６…大入賞口、１５ｂ、１６ｂ…大入賞口ソレノイド、１７…電動式チューリップ、１７ａ…始動口ソレノイド、１８…普通入賞口、１９…アウト口、２１…遊技制御基板、４１…音声制御基板、４７…振動手段、５１…演出制御基板、５８…ガラス枠ランプ、５９…サイドランプ、６１…賞球制御基板、２２、３２、４２、５２、６２…ＣＰＵ、２３、３３、４３、５３、６３…ＲＯＭ、２４、３４、４４、５４、６４…ＲＡＭ、２５、２６、３５、３６、３７、４５、４６、５５、５６、６５、６６…Ｉ／Ｏ、６７…払出駆動モータ、８０…支持部材、８１…化粧板、８２…図柄模様、８３…テーパー面、８４…ビス、９０…取り付け基板、９１…ビス、９２…遊技釘
【図１】
2008167881.tif 000003
【図２】
2008167881.tif 000004
【図３】
2008167881.tif 000005
【図４】
2008167881.tif 000006
【図５】
2008167881.tif 000007
【図６】
2008167881.tif 000008
【図７】
2008167881.tif 000009
【図８】
2008167881.tif 000010